(57)【要約】【課題】  新規器はもとより現行のペーパーホルダー器具に改造、変更を加えることなく簡単、迅速、衛生的に切断ペーパーの引き出し切り取り操作が片手で行なえる装置を提供する。【解決手段】ロール形ペーパーを、回転自在に保持する本体と、この本体の上面を庇状のカバーで覆い形成された形態のペーパーホルダーにおいてロールペーパーの芯筒内に着脱自在に一方向回転機構を備えた新軸体を装着しアーム等を介してペーパー送り出しに供しペーパー先端の引き出し、巻き取り、切断を円滑ならしめる。【選択図】  図５
2012249989.tif 000002
【特許請求の範囲】
【請求項１】
上面を庇状のカバー等が覆いその先端を切断面とし押接形成されたロールタイプのペーパーホルダーにおいて、ペーパーの筒芯内に横貫通して該ペーパーを交換可能、着脱自在に適度な力で規制保持する筒軸があり該筒軸を同軸な一方向の回転クラッチ機構を用い、かつ重錘などにより定位置に復帰する同円心上の操作機構を介し水平に間欠軸回動させ同機構の噛み合い転動をペーパーの送り出しに供することを特徴とするホルダー装置。
【請求項２】
一方向回転機構の噛み合いに必要な駆動操作工程にソレノイドあるいはワイヤー、リンク等を用い適宜に配したことを特徴とする請求項１記載のホルダー装置。
【請求項３】
ロールペーパーの筒芯内に略同芯に適度な与圧を宿して着脱可能な内空の仮設筒軸を設け且つ該筒軸端部位に一方向の回転機構を組み込み、ペーパー筒芯内に該筒軸を装填した状態でホルダー器に通常どうりに設置、アーム等を介して所要時にペーパー取り出し方向に該筒軸をすなわちローラーを送り出し回転させることを特徴とする請求項１よび２記載のホルダー装置。
【請求項４】
カバー任意の箇所に加圧可変に与圧具を固、磁着あるいは貼等により配設することを特徴とする請求項１および請求項２、請求項３記載のホルダー装置。
【発明の詳細な説明】
【技術分野】
【０００１】
本発明は、主にロール形のペーパーをセットして使用するタイプのペーパーホルダーに関するもので、新製作品はもとより現行の製品においても手を加えることなくペーパーの引き出し端を片手でも摘み易く、容易且つ迅速に引き出してカット出来るものである。
【背景技術】
【０００２】
従来この種のホルダーとしては、例えばロール形のトイレットペーパーを、芯を横にして回転自在に保持するコの字型本体と、この本体の上面を覆う庇状のカバーとで形成され、このカバーの前端面、商品によっては同部位に鋸歯を配しペーパーを所要分引き出した後引き切る構造のものが多く用いられている。
【発明の概要】
【発明が解決しようとする課題】
【０００３】
しかし、ペーパーをカバーの前端部に沿いひきちぎり切断する際には該カバーの浮き上がりを防ぐため往々にして添え手をしなければならず、またその対策にカバーを付勢してペーパーに軽く押圧した商品も見られるが、前端部の切断部にペーパーがくっついたりあるいは鋸歯とぺーパーの切断面が一致するため次に引き出すときかえってペーパーの引き出し端を摘みにくいなどという問題点があった、
【課題を解決するための手段】
【０００４】
本発明は、このような従来製品の問題点に鑑み、機能的な同心構造で遠隔操作や片手にてもペーパー先端を迅速且つ容易に摘んで引き出し、切断することができる便利で衛生的なペーパーホルダーを提供することにあり次のような技術的手段を採る。
【０００５】
先ず、請求項１記載のホルダー装置ではロール形ペーパーの筒芯内に通貫し該ペーパーを弾性材により適圧で着脱自在に軸保持する筒軸を設け該筒軸の一端部を回転自在にホルダー機器側部に軸設。加えて該筒軸に一方向の回転機構を組み込みその駆動対輪には重錘バランサーなどにより復位置機能をもたせたホルダーおよびアームを介し直、揺動運動を該機構に伝達することで所要時にはペーパー取り出し方向に該機構部を噛み合わせて強制的に送り出す。先端をつまんでからの引き出し巻き取りはワンウェイ回転装置の空転回転によりフリーである。
【０００６】
また請求項３記載の発明も同要旨に則り、現行のホルダーに多用されている、例えばロールペーパー筒心内に細径の軸や伸縮軸Dを貫通させて回転自在に装着保持するタイプ（図１）や両サイドの支持爪Eがバネ材復帰の起（E１）倒（E２）構造となって着脱をワンタッチで可能にする（図２）タイプなどさまざまなペーパー保持形態のホルダーに対応すべくそのペーパーホールド時の筒芯内の余裕Gおよびペーパー幅Iに於ける物理的クリアランスHを利用して考察されたものである。
【０００７】
すなわち本発明はこうした現在市販されている多様な形態のホルダーに適応すべく、ペーパーの筒心（一般には38ｍｍ内径）内に該筒に代替の筒軸を着装しこれを一体化して従前同様すなわち仮設筒軸をペーパーの新筒心としてホルダーにセット、相互間の余裕スペースを活用して該筒軸体に一方向回転機構を組み込んだものでアーム等を介しペーパー先端の取り出し時にペーパーを任意送りするものであり、先端をつまんでからの引き出し巻き取りは請求項１記載の装置同様フリーである。
【０００８】
さらに請求項４の要諦は、切断機能を兼ねたホルダーカバーに機器や紙質等に見合った与圧具を付設することにより、該カバーの切断時の浮き上がりや一方向回転機構の空転トルクに負勢した巻き戻りを防いで所要量のペーパーを巻き取った後片手による確実で安定した切断が出来るものである。
【発明の効果】
【０００９】
本発明はこのようにシンプルな構造で新作品はもとより多用な汎用のホルダーについても二次的な加工を施すことなく、通常のロールペーパーセッティングで次回使用の際の先端取り出し、巻き取り、切断に至る一連の工程が簡単、確実に行なえるものである。また、図３の装置においては筒軸３の適径品交換により細径筒のロールペーパーにも対応が可能である。
【００１０】
一方向回転機構を用いた間欠のペーパー送りゆえレバーやワイヤーあるいはモーターやソレノイドなど単純部品によるシステムで作動し（複雑なコントロール制御等は不要）、直動や揺動機構等を用いた自在な変換、遠隔操作が簡単に構築できる。
【００１１】
ペーパーの繰りだし量が不要に多かった場合など、ロールペーパーの巻き戻しをしたいときにはホルダーにセットした状態でロールペーパーを掴み反繰り出し方に強く回転させれば筒軸弾装具によるペーパー筒芯内の保持を一時崩した巻き戻しが可能である。
【００１２】
また切断操作に際してもペーパー先端の繰り出しが確実に行なえるので、上部カバーのペーパーへの加押圧に余裕ができる。そのためホルダーとペーパー紙種に見合った適度な付圧調整により該カバー前端面の鋸歯部で引きちぎりカットする場合にもカバーを浮きあげることなく片手による安定,確実な切断が可能であり、他にも市販ロールタイプのペーパータオル等の取り出しにも応用できるものである。
【図面の簡単な説明】
【００１３】
【図１】一般のホルダー例をわかりやすく示した平、側面図。
【図２】一般のホルダー例をわかりやすく示した正、側面図。
【図３】装置の一例をわかりやすく示した正面図。側面概念図。
【図４】装置の一部をわかりやすく示した部分正面図。側面図。
【図５】装置の一例をわかりやすく示した正面図。
【図６】装置の一例をわかりやすく示した正面図。
【発明を実施するための形態】
【００１４】
次に本発明の実施形態の一例を、簡略に判りやすく解説する。
ロールペーパー１の筒芯２(標準規格径38mm±１)内に、スポンジあるいは樹脂製スプリング形態（図3）の弾装具４を介在させ適度な接圧で片端より着抜自在Lに突き当てフランヂ3F位置にまで貫着しうるより小径の筒軸３があり該筒軸3の別端は、ホルダーA１側板に固着の軸受け１０に回動取付けされた筒軸ホルダー１１に交換可能に嵌合軸締結１２され回転自在に水平に片持ち形態で支承されている。
【００１５】
軸受け１０を軸通した筒軸ホルダー１１の外端部は一方向回転機構５の内輪5Aに嵌合し、これに付対する外輪5Bはアームハウジング６に収容してアーム７を筒軸３の鉛直方向に任意形状に伸張させ下方にバランサーを配設している。
【００１６】
ここに、一方向回転機構は図4（別構造例―後述）のようにホルダー１前面からの操作による手前下方すなわち通常のペーパー取り出し回転方向Mにて噛み合う構成の組み付けとし逆方向Nには空転する。
【００１７】
次に請求項３記載項目の設明には、図1のようなロール形ペーパー１の筒芯2内に伸縮軸Dを貫通し両端を側板内対向凹面D１に勘合させこれを保持するホルダー本体Aと、この本体Aの上面を覆う庇状のカバーBとで形成され、該カバーBはバネ材などを用い付勢し常時適度な押圧でペーパー１に接しその先端の鋸歯Cにてペーパーを引き出し引き切る一般様態の器具を応用例として用いるが,横軸片持ちのような極めてシンプルなタイプにも適応できる。
【００１８】
先ず図５の例ではロールペーパー１の筒芯２内に弾装具４Aを介し着脱自在に適圧で反対部分の筒軸を少し延設Fしたフランジ３B面まで貫通装着しその貫通保持部の筒長はペーパー１巾(標準規格114mm)Iより少し余すOものとした筒芯２より若干小径の樹脂製筒軸３Aをペーパー１装着後の代替筒として伸縮軸Dを通しホルダーA巾J内に装着可能としてある。
【００１９】
該筒軸３Aの延設F箇所の外径部所には一方向回転機構５を、例えば図４ではラチェット５Cを固設、かつフランジ３Bの外面同心円上に配設した複数の保持ローラー9にガイド支持され該ラチェット５Cの外周を自在転動するリング５Dを設けこれにラチェット爪５Eを支軸５Fにより自在軸動させて該ラチェット５Cと間欠に噛み合うように構成配置し且つリング５Dにはアーム７Aを下方に延伸。
【００２０】
該アーム７Aの変位はペーパーとは略同心等角回転となるので感覚的にもなじみやすくまた下方に垂下バランサー８を付設して前面からの繰り出し操作kの後,例えば押しの場合は一方向回転機構５の空転トルクに勝って、引きの場合はペーパーを繰り出しながら振り子の定常位置に戻るようになっている。図５の６Aはハウジング、７Cはアームである。
【００２１】
また、図６は一方向回転機構にニードルタイプのワンウェイクラッチを採用した例である。先ずロールペーパー１の筒芯２内に弾装具４Bを介して自在に貫通装填可能な樹脂製筒軸３Cがありその突き当てフランジ３D設営側の端部内径にワンウェイクラッチ５Gを嵌装し、同クラッチの内輪筒５Hを同筒軸外に延長して薄厚のアームホルダー６Bにバランサーを付設(図示せず)してその外周面に固着、ホルダー形状や嗜好に合わせて交換取り付け可能な（取り付け構造図示せず）アーム７Dを任意の方向、形状に伸張させてある。
【００２２】
さらに筒軸３C内にはクラッチ５Gの回転運動を妨げないように内輪筒５H内径より小径のアダプター筒軸１０を保持体１１にて同軸心に固設しペーパー１装着後の代替筒として図５同様伸縮軸Dを通し図1のホルダーAにあるいはそのまま図２のホルダーA２や横軸片持タイプのホルダーに取付け可能としてある。
【００２３】
本稿では、一方向回転機構にラチェット機構（図４）やニードルタイプのワンウェイクラッチを用いた（図６）が、薄厚で空転トルクが小さければどのような構造、形態でも良い。
【００２４】
次に、庇状カバーB上面には質量を保する与圧体１３Aや、例えば縦溝に嵌合して移動螺固着可能な適宜質量を有する与圧体１３を有するベース１２等を磁着あるいは貼着するなどしてペーパーへの係止力を加減調整。ホルダーやロールの紙質等に見合った適圧を臨機に選定ならしめている。もちろん、カバーの付設していないホルダー器の場合においても送り装置が機能するならばこうしたカバーをホルダーの任意箇所に後付けして簡単に機能付加できる。
【００２５】
また、遠隔操作の用例としては図３の〈ａ〉、〈ｂ〉概念図のように電源１９を用い赤外線や静電式、超音波等の非接触タイプの人検知センサー１５信号によりソレノイド１４の直動を、あるいは衝撃吸収ダンパー付きフートペダル１６と復帰バネ１８によるワイヤー１７の引き、戻しを間欠送りに充てるなどシンプルな部品構成によりホルダーやペーパーに一切触れることなく衛生的なペーパー送りが実現できる。もちろんモーター類、例えば筒軸３内にインナーモーターを組み込むなどしてもよい。２０はストッパー。
【符号の説明】
【００２６】
１      ロールペーパー
２      筒芯
３      筒軸
４      弾装具
５      一方向回転機構
【図１】
2012249989.tif 000003
【図２】
2012249989.tif 000004
【図３】
2012249989.tif 000005
【図４】
2012249989.tif 000006
【図５】
2012249989.tif 000007
【図６】
2012249989.tif 000008